(57)【要約】【課題】必要な状況時に必要な相手に通話を柔軟に行う。【解決手段】加入者端末１０１−１から発信が行われた場合、接続装置１０２にて接続を許可するかどうかを示す通話可能状況情報に基づいて接続を許可するかどうかを判断し、接続を許可すると判断した場合、加入者端末１０１−１から送信されてきた加入者識別情報に基づいて加入者端末１０１−２をデータベース１０３から検索して出力し、加入者端末１０１−１と加入者端末１０１−２とを接続し、加入者端末１０１−２へ加入者端末１０１−１を使用する加入者に付与された加入者識別情報を送信し、加入者端末１０１−２が、接続装置１０２から送信されてきた加入者識別情報を表示する。【選択図】図１
2009135789.tif 000002
【特許請求の範囲】
【請求項１】
加入者に予め付与された固有の加入者識別情報と前記加入者が使用する加入者端末の電話番号とを対応付けた加入者情報を格納するデータベースと、
発信を行い、前記加入者識別情報を表示する発信加入者端末と、
着信を行う着信加入者端末と、
前記データベースに接続し、前記発信加入者端末と前記着信加入者端末とを接続する接続装置とを有し、
前記発信加入者端末は、表示した加入者識別情報の中から１つが選択されて発信した場合、前記選択された加入者識別情報を前記接続装置へ送信し、
前記接続装置は、前記発信加入者端末の電話番号に基づいて当該発信加入者端末を使用する加入者に付与された加入者識別情報を前記データベースから検索し、該検索の結果当該加入者識別情報が前記データベースに存在する場合、当該加入者識別情報を前記データベースから出力し、接続を許可するかどうかを示す通話可能状況情報に基づいて接続を許可するかどうかを判断し、接続を許可すると判断した場合、前記発信加入者端末から送信されてきた加入者識別情報に基づいて前記着信加入者端末の電話番号を前記データベースから検索し、該検索の結果該当する電話番号を前記データベースから出力し、前記発信加入者端末と前記出力された電話番号を有する着信加入者端末とを接続し、該着信加入者端末へ前記発信加入者端末を使用する加入者に付与された加入者識別情報を送信し、
前記着信加入者端末は、前記接続装置から送信されてきた加入者識別情報を表示する通信システム。
【請求項２】
請求項１に記載の通信システムにおいて、
前記接続装置は、前記発信加入者端末が発信した時刻が、前記データベースに格納された時間帯に含まれる場合、前記発信加入者端末と前記着信加入者端末との接続を許可すると判断することを特徴とする通信システム。
【請求項３】
請求項１または請求項２に記載の通信システムにおいて、
前記データベースは、１つの前記加入者識別情報と複数の加入者端末とクラスとを対応付けて格納し、
前記接続装置は、前記発信加入者端末を使用する加入者に予め付与されたクラスと前記データベースに格納されている前記着信加入者端末の電話番号に予め対応付けられたクラスとに基づいて、前記発信加入者端末が接続する着信加入者端末の電話番号を前記データベースから検索し、該検索の結果該当する電話番号を前記データベースから出力し、前記出力した電話番号を有する着信加入者端末と前記発信加入者端末とを接続することを特徴とする通信システム。
【請求項４】
請求項３に記載の通信システムにおいて、
前記接続装置は、前記発信加入者端末を使用する加入者に予め付与されたクラスよりも優先度の低いクラスに対応付けられた着信加入者端末の電話番号を前記データベースから検索し、該検索の結果該当する電話番号を前記データベースから出力することを特徴とする通信システム。
【請求項５】
請求項１乃至４のいずれか１項に記載の通信システムにおいて、
前記接続装置は、前記前記データベースから検索して出力された電話番号を有する着信加入者端末が応答しない場合、当該着信加入者端末を使用する加入者が使用するそれ以外の着信加入者端末と前記発信加入者端末とを接続することを特徴とする通信システム。
【請求項６】
請求項１乃至５のいずれか１項に記載の通信システムにおいて、
前記データベースは、加入者に予め付与された固有の加入者識別情報と前記加入者が使用する加入者端末の電子メールアドレスとを対応付けた加入者情報を格納し、
前記接続装置は、前記発信加入者端末の電子メールアドレスに基づいて当該発信加入者端末を使用する加入者に付与された加入者識別情報を前記データベースから検索し、該検索の結果該当する加入者識別情報を前記データベースから出力し、前記発信加入者端末から送信されてきた加入者識別情報に基づいて前記着信加入者端末の電子メールアドレスを前記データベースから検索し、該検索の結果該当する電子メールアドレスを前記データベースから出力し、前記発信加入者端末から送信された電子メールを前記データベースから検索して出力された電子メールアドレスを有する着信加入者端末へ送信することを特徴とする通信システム。
【請求項７】
請求項１乃至６に記載の通信システムにおいて、
前記接続装置は、前記データベースを含むことを特徴とする通信システム。
【請求項８】
請求項１乃至７に記載の通信システムにおいて、
前記発信加入者端末は、該発信加入者端末を操作する利用者に予め付与された固有の利用者ＩＤとパスワードを入力した場合、前記利用者ＩＤと前記パスワードとを前記接続装置へ送信し、
前記接続装置は、前記利用者ＩＤと前記パスワードとに基づいて当該利用者の認証を行い、該認証に成功した場合、前記利用者ＩＤに基づいて、当該利用者ＩＤが付与された利用者に付与された加入者識別情報を前記データベースから検索することを特徴とする通信システム。
【請求項９】
加入者に予め付与された固有の加入者識別情報と前記加入者が使用する加入者端末の電話番号とを対応付けた加入者情報を格納するデータベースに接続し、発信した発信加入者端末の電話番号に基づいて当該発信加入者端末を使用する加入者に付与された加入者識別情報を前記データベースから検索し、該検索の結果当該加入者識別情報が前記データベースに存在する場合、当該加入者識別情報を前記データベースから出力し、接続を許可するかどうかを示す通話可能状況情報に基づいて接続を許可するかどうかを判断し、接続を許可すると判断した場合、前記発信加入者端末から送信されてきた加入者識別情報に基づいて着信する着信加入者端末の電話番号を前記データベースから検索し、該検索の結果該当する電話番号を前記データベースから出力し、前記発信加入者端末と前記出力された電話番号を有する着信加入者端末とを接続し、該着信加入者端末へ前記発信加入者端末を使用する加入者に付与された加入者識別情報を送信する接続装置。
【請求項１０】
請求項９に記載の接続装置において、
前記発信加入者端末の電話番号に基づいて当該発信加入者端末を使用する加入者に付与された加入者識別情報と、前記発信加入者端末から送信されてきた加入者識別情報に基づいて着信する着信加入者端末の電話番号とを前記データベースから検索し、当該加入者識別情報と当該電話番号とを前記データベースから出力する検索部と、
接続を許可するかどうかを示す通話可能状況情報に基づいて接続を許可するかどうかを判断する状況判断部と、
前記状況判断部にて接続を許可すると判断した場合、前記発信加入者端末と前記出力された電話番号を有する着信加入者端末とを接続する接続部と、
前記検索部にて出力された電話番号を有する着信加入者端末へ前記発信加入者端末を使用する加入者に付与された加入者識別情報を送信する送信部とを有することを特徴とする接続装置。
【請求項１１】
請求項１０に記載の接続装置において、
前記状況判断部は、前記発信加入者端末が発信した時刻が、前記データベースに格納された時間帯に含まれる場合、前記発信加入者端末と前記着信加入者端末との接続を許可すると判断することを特徴とする接続装置。
【請求項１２】
請求項１０または請求項１１に記載の接続装置において、
前記検索部は、前記発信加入者端末を使用する加入者に予め付与されたクラスと前記データベースに格納されている前記着信加入者端末の電話番号に予め対応付けられたクラスとに基づいて、前記発信加入者端末が接続する着信加入者端末の電話番号を前記データベースから検索し、該検索の結果該当する電話番号を前記データベースから出力することを特徴とする接続装置。
【請求項１３】
請求項１２に記載の接続装置において、
前記検索部は、前記発信加入者端末を使用する加入者に予め付与されたクラスよりも優先度の低いクラスに対応付けられた着信加入者端末の電話番号を前記データベースから検索し、該検索の結果該当する電話番号を前記データベースから出力することを特徴とする接続装置。
【請求項１４】
請求項１０乃至１３のいずれか１項に記載の接続装置において、
前記接続部は、前記前記データベースから検索して出力された電話番号を有する着信加入者端末が応答しない場合、当該着信加入者端末を使用する加入者が使用するそれ以外の着信加入者端末と前記発信加入者端末とを接続することを特徴とする接続装置。
【請求項１５】
請求項１０乃至１４のいずれか１項に記載の接続装置において、
前記検索部は、前記発信加入者端末の電子メールアドレスに基づいて当該発信加入者端末を使用する加入者に付与された加入者識別情報を前記データベースから検索し、該検索の結果該当する加入者識別情報を前記データベースから出力し、前記発信加入者端末から送信されてきた加入者識別情報に基づいて前記着信加入者端末の電子メールアドレスを前記データベースから検索し、該検索の結果該当する電子メールアドレスを前記データベースから出力し、
前記送信部は、前記発信加入者端末から送信された電子メールを前記出力された電子メールアドレスを有する着信加入者端末へ送信することを特徴とする接続装置。
【請求項１６】
請求項１０乃至１５のいずれか１項に記載の接続装置において、
前記検索部は、前記発信加入者端末から該発信加入者端末を操作する利用者に予め付与された固有の利用者ＩＤとパスワードとが送信されてきた場合、前記利用者ＩＤと前記パスワードとに基づいて当該利用者の認証を行い、該認証に成功した場合、前記利用者ＩＤに基づいて、当該利用者ＩＤが付与された利用者に付与された加入者識別情報を前記データベースから検索することを特徴とする接続装置。
【請求項１７】
加入者に予め付与された固有の加入者識別情報と前記加入者が使用する加入者端末の電話番号とを対応付けた加入者情報を格納するデータベースと、発信を行う発信加入者端末と、着信を行う着信加入者端末と、前記発信加入者端末と前記着信加入者端末とを接続する接続装置とから構成される通信システムにおける接続方法であって、
前記発信加入者端末が、表示した加入者識別情報の中から１つが選択されて発信した場合、前記選択された加入者識別情報を前記接続装置へ送信する処理と、
前記接続装置が、前記発信加入者端末の電話番号に基づいて当該発信加入者端末を使用する加入者に付与された加入者識別情報を前記データベースから検索する処理と、
前記検索の結果当該加入者識別情報が前記データベースに存在する場合、前記接続装置が、当該加入者識別情報を前記データベースから出力する処理と、
前記接続装置が、接続を許可するかどうかを示す通話可能状況情報に基づいて接続を許可するかどうかを判断する処理と、
前記接続を許可すると判断した場合、前記接続装置が、前記発信加入者端末から送信されてきた加入者識別情報に基づいて前記着信加入者端末の電話番号を前記データベースから検索する処理と、
前記接続装置が、前記検索の結果、該当する電話番号を前記データベースから出力する処理と、
前記接続装置が、前記発信加入者端末と前記出力された電話番号を有する着信加入者端末とを接続する処理と、
前記接続装置が、前記出力された電話番号を有する着信加入者端末へ前記発信加入者端末を使用する加入者に付与された加入者識別情報を送信する処理と、
前記着信加入者端末が、前記接続装置から送信されてきた加入者識別情報を表示する処理とを有する接続方法。
【請求項１８】
請求項１７に記載の接続方法において、
前記発信加入者端末が発信した時刻が前記データベースに格納された時間帯に含まれる場合、前記接続装置が、前記発信加入者端末と前記着信加入者端末との接続を許可すると判断する処理を有することを特徴とする接続方法。
【請求項１９】
請求項１７または請求項１８に記載の接続方法において、
前記接続装置が、前記発信加入者端末を使用する加入者に予め付与されたクラスと前記データベースに格納されている前記着信加入者端末の電話番号に予め対応付けられたクラスとに基づいて、前記発信加入者端末が接続する着信加入者端末の電話番号を前記データベースから検索する処理と、
前記接続装置が、前記検索の結果該当する電話番号を前記データベースから出力する処理とを有することを特徴とする接続方法。
【請求項２０】
請求項１９に記載の接続方法において、
前記接続装置が、前記発信加入者端末を使用する加入者に予め付与されたクラスよりも優先度の低いクラスに対応付けられた着信加入者端末の電話番号を前記データベースから検索する処理と、
前記接続装置が、前記検索の結果該当する電話番号を前記データベースから出力する処理とを有することを特徴とする接続方法。
【請求項２１】
請求項１７乃至２０のいずれか１項に記載の接続方法において、
前記前記データベースから検索して出力された電話番号を有する着信加入者端末が応答しない場合、前記接続装置が、当該着信加入者端末を使用する加入者が使用するそれ以外の着信加入者端末と前記発信加入者端末とを接続する処理を有することを特徴とする接続方法。
【請求項２２】
請求項１７乃至２１のいずれか１項に記載の接続方法において、
前記接続装置が、前記発信加入者端末の電子メールアドレスに基づいて当該発信加入者端末を使用する加入者に付与された加入者識別情報を前記データベースから検索する処理と、
前記接続装置が、前記検索の結果該当する加入者識別情報を前記データベースから出力する処理と、
前記接続装置が、前記発信加入者端末から送信されてきた加入者識別情報に基づいて前記着信加入者端末の電子メールアドレスを前記データベースから検索する処理と、
前記接続装置が、前記検索の結果該当する電子メールアドレスを前記データベースから出力する処理と、
前記接続装置が、前記発信加入者端末から送信された電子メールを前記データベースから検索して出力された電子メールアドレスを有する着信加入者端末へ送信する処理とを有することを特徴とする接続方法。
【請求項２３】
請求項１７乃至請求項２２のいずれか１項に記載の接続方法において、
前記発信加入者端末から該発信加入者端末を操作する利用者に予め付与された固有の利用者ＩＤとパスワードとが送信されてきた場合、前記接続装置が、前記利用者ＩＤと前記パスワードとに基づいて当該利用者の認証を行う処理と、
該認証に成功した場合、前記接続装置が、前記利用者ＩＤに基づいて、当該利用者ＩＤが付与された利用者に付与された加入者識別情報を前記データベースから検索する処理とを有することを特徴とする接続方法。
【請求項２４】
発信した発信加入者端末の電話番号に基づいて当該発信加入者端末を使用する加入者に付与された加入者識別情報を検索する手順と、
前記検索の結果、該当する加入者識別情報を出力する手順と、
前記発信加入者端末の接続を許可するかどうかを示す通話可能状況情報に基づいて接続を許可するかどうかを判断する手順と、
前記接続を許可すると判断した場合、前記発信加入者端末から送信されてきた加入者識別情報に基づいて着信する着信加入者端末の電話番号を検索する手順と、
前記検索の結果、該当する電話番号を出力する手順と、
前記発信加入者端末と前記出力された電話番号を有する着信加入者端末とを接続する手順と、
前記出力された電話番号を有する着信加入者端末へ前記発信加入者端末を使用する加入者に付与された加入者識別情報を送信する手順とをコンピュータに実行させるプログラム。
【請求項２５】
請求項２４に記載のプログラムにおいて、
前記発信加入者端末が発信した時刻が、所定の時間帯に含まれる場合、前記発信加入者端末と前記着信加入者端末との接続を許可すると判断する手順をコンピュータに実行させることを特徴とするプログラム。
【請求項２６】
請求項２４または請求項２５に記載のプログラムにおいて、
前記発信加入者端末を使用する加入者に予め付与されたクラスと前記データベースに格納されている前記着信加入者端末の電話番号に予め対応付けられたクラスとに基づいて、前記発信加入者端末が接続する着信加入者端末の電話番号を検索する手順と、
前記検索の結果該当する電話番号を出力する手順とをコンピュータに実行させることを特徴とするプログラム。
【請求項２７】
請求項２６に記載のプログラムにおいて、
前記発信加入者端末を使用する加入者に予め付与されたクラスよりも優先度の低いクラスに対応付けられた着信加入者端末の電話番号を検索する手順と、
前記検索の結果該当する電話番号を出力する手順とをコンピュータに実行させることを特徴とするプログラム。
【請求項２８】
請求項２４乃至２７のいずれか１項に記載のプログラムにおいて、
前記検索して出力された電話番号を有する着信加入者端末が応答しない場合、当該着信加入者端末を使用する加入者が使用するそれ以外の着信加入者端末と前記発信加入者端末とを接続する手順をコンピュータに実行させることを特徴とするプログラム。
【請求項２９】
請求項２４乃至２８のいずれか１項に記載のプログラムにおいて、
前記発信加入者端末の電子メールアドレスに基づいて当該発信加入者端末を使用する加入者に付与された加入者識別情報を前記データベースから検索する手順と、
該検索の結果該当する加入者識別情報を出力する手順と、
前記発信加入者端末から送信されてきた加入者識別情報に基づいて前記着信加入者端末の電子メールアドレスを前記データベースから検索する手順と、
該検索の結果該当する電子メールアドレスを出力する手順と、
前記発信加入者端末から送信された電子メールを前記検索して出力された電子メールアドレスを有する着信加入者端末へ送信する手順とをコンピュータに実行させることを特徴とするプログラム。
【請求項３０】
請求項２４乃至２９のいずれか１項に記載のプログラムにおいて、
前記発信加入者端末から該発信加入者端末を操作する利用者に予め付与された固有の利用者ＩＤとパスワードとが送信されてきた場合、前記利用者ＩＤと前記パスワードとに基づいて当該利用者の認証を行う手順と、
該認証に成功した場合、前記利用者ＩＤに基づいて、当該利用者ＩＤが付与された利用者に付与された加入者識別情報を前記データベースから検索する手順とをコンピュータに実行させることを特徴とするプログラム。
【発明の詳細な説明】
【技術分野】
【０００１】
本発明は、加入者端末間で通信を行うための通信システム、接続装置、接続方法及びプログラムに関する。
【背景技術】
【０００２】
従来、加入者間にて通信を行うためには、発信者となる加入者が通信相手となる加入者の電話番号や電子メールアドレスを知る必要がある。加入者が、この電話番号や電子メールアドレスを一度知ってしまえば、それを第三者に伝えることや、その後業務上必要がなくなった場合でも利用することが可能である。
【０００３】
また、電子式の電話帳やパソコンの画面に電話番号や電子メールアドレスの代わりに氏名を表示し、加入者が所望の氏名を選択することで、あらかじめ登録されている電話番号や電子メールアドレスを発生させるシステムが考えられている。このシステムにアクセスすることにより、登録されている電話番号や電子メールアドレスに対して、誰もが発信することができてしまう。
【０００４】
一方、個人情報の公開を避ける社会の動きに合わせて、小中学校の連絡用名簿や、会社員の住所録を作成しないことも多くなってきている。このように連絡先を開示しないことにより、相手への通信が必要である場合には、不都合をきたすことは少なくはない。
【０００５】
そこで、加入者端末に接続可能に構成されたサーバに設けられたデータベースに、加入者端末の電話番号と当該加入者端末に固有に付与された端末識別情報とをあらかじめ対応付けて登録しておく技術が考えられている（例えば、特許文献１参照。）。この技術は、端末識別情報のみを加入者端末に表示させ、表示された端末識別情報を加入者が選択することにより、サーバにて当該端末識別情報に対応付けられた電話番号へ接続するものである。これにより、電話番号を開示することなく、所望の相手と通信を行うことが可能となる。
【特許文献１】国際公開第２００４／０４９６８２号パンフレット
【発明の開示】
【発明が解決しようとする課題】
【０００６】
上述した技術においては、サーバに登録された加入者端末は誰でも何時でも互いに通話が可能である。そのため、サーバに登録した加入者間においては、電話番号を開示されたものと同じものとなってしまい、加入者端末に表示された端末識別情報を任意に選択することにより、制限無く発信することができてしまうという問題点がある。
【０００７】
また、電話番号と端末認識情報とが１対１の関係にあるため、所望の相手が複数の電話番号（例えば、自宅の固定電話、会社の固定電話および携帯電話）を有する場合、それぞれに応じた端末識別情報が必要となってしまうという問題点がある。
【０００８】
本発明は、必要な状況時に必要な相手に通話を柔軟に行うことができる通信システム、接続装置、接続方法及びプログラムを提供することを目的とする。
【課題を解決するための手段】
【０００９】
上記目的を達成するために本発明は、
加入者に予め付与された固有の加入者識別情報と前記加入者が使用する加入者端末の電話番号とを対応付けた加入者情報を格納するデータベースと、
発信を行い、前記加入者識別情報を表示する発信加入者端末と、
着信を行う着信加入者端末と、
前記データベースに接続し、前記発信加入者端末と前記着信加入者端末とを接続する接続装置とを有する通信システムにおいて、
前記発信加入者端末は、表示した加入者識別情報の中から１つが選択されて発信した場合、前記選択された加入者識別情報を前記接続装置へ送信し、
前記接続装置は、前記発信加入者端末の電話番号に基づいて当該発信加入者端末を使用する加入者に付与された加入者識別情報を前記データベースから検索し、該検索の結果当該加入者識別情報が前記データベースに存在する場合、当該加入者識別情報を前記データベースから出力し、接続を許可するかどうかを示す通話可能状況情報に基づいて接続を許可するかどうかを判断し、接続を許可すると判断した場合、前記発信加入者端末から送信されてきた加入者識別情報に基づいて前記着信加入者端末の電話番号を前記データベースから検索し、該検索の結果該当する電話番号を前記データベースから出力し、前記発信加入者端末と前記出力された電話番号を有する着信加入者端末とを接続し、該着信加入者端末へ前記発信加入者端末を使用する加入者に付与された加入者識別情報を送信し、
前記着信加入者端末は、前記接続装置から送信されてきた加入者識別情報を表示する。
【００１０】
また、加入者端末間を接続する接続装置であって、
加入者に予め付与された固有の加入者識別情報と前記加入者が使用する加入者端末の電話番号とを対応付けた加入者情報を格納するデータベースに接続し、発信した発信加入者端末の電話番号に基づいて当該発信加入者端末を使用する加入者に付与された加入者識別情報を前記データベースから検索し、該検索の結果当該加入者識別情報が前記データベースに存在する場合、当該加入者識別情報を前記データベースから出力し、接続を許可するかどうかを示す通話可能状況情報に基づいて接続を許可するかどうかを判断し、接続を許可すると判断した場合、前記発信加入者端末から送信されてきた加入者識別情報に基づいて着信する着信加入者端末の電話番号を前記データベースから検索し、該検索の結果該当する電話番号を前記データベースから出力し、前記発信加入者端末と前記出力された電話番号を有する着信加入者端末とを接続し、該着信加入者端末へ前記発信加入者端末を使用する加入者に付与された加入者識別情報を送信する。
【００１１】
また、加入者に予め付与された固有の加入者識別情報と前記加入者が使用する加入者端末の電話番号とを対応付けた加入者情報を格納するデータベースと、発信を行う発信加入者端末と、着信を行う着信加入者端末と、前記発信加入者端末と前記着信加入者端末とを接続する接続装置とから構成される通信システムにおける接続方法であって、
前記発信加入者端末が、表示した加入者識別情報の中から１つが選択されて発信した場合、前記選択された加入者識別情報を前記接続装置へ送信する処理と、
前記接続装置が、前記発信加入者端末の電話番号に基づいて当該発信加入者端末を使用する加入者に付与された加入者識別情報を前記データベースから検索する処理と、
前記検索の結果当該加入者識別情報が前記データベースに存在する場合、前記接続装置が、当該加入者識別情報を前記データベースから出力する処理と、
前記接続装置が、接続を許可するかどうかを示す通話可能状況情報に基づいて接続を許可するかどうかを判断する処理と、
前記接続を許可すると判断した場合、前記接続装置が、前記発信加入者端末から送信されてきた加入者識別情報に基づいて前記着信加入者端末の電話番号を前記データベースから検索する処理と、
前記接続装置が、前記検索の結果、該当する電話番号を前記データベースから出力する処理と、
前記接続装置が、前記発信加入者端末と前記出力された電話番号を有する着信加入者端末とを接続する処理と、
前記接続装置が、前記出力された電話番号を有する着信加入者端末へ前記発信加入者端末を使用する加入者に付与された加入者識別情報を送信する処理と、
前記着信加入者端末が、前記接続装置から送信されてきた加入者識別情報を表示する処理とを有する。
【００１２】
また、コンピュータに実行させるプログラムであって、
発信した発信加入者端末の電話番号に基づいて当該発信加入者端末を使用する加入者に付与された加入者識別情報を検索する手順と、
前記検索の結果、該当する加入者識別情報を出力する手順と、
前記発信加入者端末の接続を許可するかどうかを示す通話可能状況情報に基づいて接続を許可するかどうかを判断する手順と、
前記接続を許可すると判断した場合、前記発信加入者端末から送信されてきた加入者識別情報に基づいて着信する着信加入者端末の電話番号を検索する手順と、
前記検索の結果、該当する電話番号を出力する手順と、
前記発信加入者端末と前記出力された電話番号を有する着信加入者端末とを接続する手順と、
前記出力された電話番号を有する着信加入者端末へ前記発信加入者端末を使用する加入者に付与された加入者識別情報を送信する手順とをコンピュータに実行させる。
【発明の効果】
【００１３】
以上説明したように本発明においては、発信加入者端末が、表示した加入者識別情報の中から１つが選択されて発信した場合、選択された加入者識別情報を接続装置へ送信し、発信加入者端末と着信加入者端末とを接続する接続装置が、発信加入者端末の電話番号に基づいて当該発信加入者端末を使用する加入者に付与された加入者識別情報を、加入者識別情報と加入者が使用する加入者端末の電話番号とを対応付けた加入者情報を格納するデータベースから検索し、当該加入者識別情報がデータベースに存在する場合、接続装置が、当該加入者識別情報をデータベースから出力し、接続を許可するかどうかを示す通話可能状況情報に基づいて接続を許可するかどうかを判断し、接続を許可すると判断した場合、接続装置が、発信加入者端末から送信されてきた加入者識別情報に基づいて着信する着信加入者端末の電話番号をデータベースから検索し、該当する電話番号をデータベースから出力し、接続装置が、発信加入者端末とデータベースから出力された電話番号を有する着信加入者端末とを接続し、接続装置が、データベースから出力された電話番号を有する着信加入者端末へ発信加入者端末を使用する加入者に付与された加入者識別情報を送信し、データベースから出力された電話番号を有する着信加入者端末が、接続装置から送信されてきた加入者識別情報を表示する構成としたため、必要な状況時に必要な相手に通話を柔軟に行うことができる。
【発明を実施するための最良の形態】
【００１４】
以下に、本発明の実施の形態について図面を参照して説明する。
【００１５】
図１は、本発明の通信システムの実施の一形態を示す図である。
【００１６】
本形態は図１に示すように、加入者端末１０１−１，１０１−２と、接続装置１０２と、データベース１０３と、通信網１０４とから構成されている。ここで、加入者端末１０１−１，１０１−２の数を２つで示しているが、説明の便宜上、２つで示しており、３つ以上の複数であっても良いことは言うまでもない。
【００１７】
加入者端末１０１−１，１０１−２は、発着信を行う加入者が所持する端末である。加入者端末１０１−１，１０１−２は、固定電話であっても良いし、パソコンであっても良いし、携帯電話でもあっても良く、通信機能および情報表示機能が具備された端末であれば良い。情報表示機能は、電話をかける、または電子メールを送信する際に、相手を選択するための情報を表示するために必要である。
【００１８】
接続装置１０２は、加入者端末１０１−１と加入者端末１０１−２とを接続する装置である。接続装置１０２は、所定の条件に適合した場合に、加入者端末１０１−１と加入者端末１０１−２とを接続する。詳細は後述する。
【００１９】
データベース１０３には、加入者端末１０１−１，１０１−２の情報があらかじめ格納されている。詳細は後述する。なお、データベース１０３は、接続装置１０２に接続されているものであっても良いし、接続装置１０２に含まれているものであっても良い。
【００２０】
通信網１０４は、加入者端末１０１−１，１０１−２と、接続装置１０２とを接続するネットワークである。
【００２１】
図２は、図１に示した接続装置１０２の内部の一構成例を示す図である。
【００２２】
図１に示した接続装置１０２は図２に示すように、受信部２０１と、信号識別部２０２と、データベース管理部２０３と、接続部２０４と、送信部２０５とから構成されている。
【００２３】
受信部２０１は、加入者端末１０１−１，１０１−２から送信された信号を通信網１０４を介して受信する。受信した信号を信号識別部２０２へ出力する。
【００２４】
信号識別部２０２は、受信部２０１から出力された信号が、何を示す信号であるかを識別する。例えば、加入者端末１０１−１と加入者端末１０１−２との間で通信が行われる場合、呼が張られるまでの信号は、データベース管理部２０３へ出力する。一方、呼が張られた後の信号は、接続部２０４へ出力される。この識別方法については、従来のものと同様である。
【００２５】
データベース管理部２０３は、図１に示したデータベース１０３を管理する。具体的には、受信部２０１にて受信されたデータ（情報）をデータベース１０３へ書き込んだり、受信部２０１にて受信された情報に基づいてデータベース１０３の中を検索したりする。検索した結果に基づいて、加入者端末１０１−１と加入者端末１０１−２とを接続するか否かを示す接続信号を接続部２０４へ出力する。
【００２６】
接続部２０４は、データベース管理部２０３から出力された接続信号が入力した場合、信号識別部２０２から出力された信号を送信部２０４へ出力する。
【００２７】
送信部２０５は、接続部２０４から出力された信号を、通信網１０４へ送信する。
【００２８】
図３は、図２に示したデータベース管理部２０３の内部の一構成例を示す図である。
【００２９】
図２に示したデータベース管理部２０３には図３に示すように、書き込み部３０１と、検索部３０２と、状況判断部３０３とが設けられている。
【００３０】
書き込み部３０１は、受信部２０１にて受信されたデータをデータベース１０３へ書き込む。このデータの書き込みは、初期設定の段階で行われるものである。書き込まれるデータについては、後述する。
【００３１】
検索部３０２は、加入者端末１０１−１，１０１−２から送信されてきた信号に基づいて、データベース１０３の中から加入者端末１０１−１，１０１−２の加入者識別情報や電話番号、電子メールアドレスを検索する。そして、検索した加入者識別情報や電話番号、電子メールアドレスをデータベース１０３の中から出力する。ここで、電子メールアドレスとは、送受信される電子メールの送信先（宛先）や発信元を示すアドレスである。
【００３２】
状況判断部３０３は、現在の状況が、通信を許可すべき状況であるかどうかを判断する。どのように判断するかについては、後述する。
【００３３】
図４は、図１に示したデータベース１０３の内部構造の一例を示す図である。
【００３４】
図４に示すように図１に示したデータベース１０３には、加入者情報が格納されている。
【００３５】
加入者情報は、加入者を識別可能に固有に付与された加入者識別情報と、加入者が有する電話（図４では、会社の固定電話、自宅の固定電話および携帯電話等）の電話番号と、電子メールアドレスとが対応付けられているアドレス帳である。そして、電話番号および電子メールアドレスにクラスがそれぞれ付与されている。このクラスとは、発信を行う加入者や状況によって各電話番号のうちどの電話番号を選択するのかを決定するための優先度である。
【００３６】
例えば図４に示すように、加入者識別情報の「日本太郎」と、クラス「１」と、会社の電話番号「０３−１１１１−１１１１」と、「ｎｉｐｐｏｎ＠ｘｘｘ．ｃｏｍ」とが対応付けられている。これは、加入者識別情報が「日本太郎」である加入者のクラスが「１」の電話番号が「０３−１１１１−１１１１」であり、電子メールアドレスが「ｎｉｐｐｏｎ＠ｘｘｘ．ｃｏｍ」であることを示している。また、加入者識別情報の「日本太郎」と、クラス「２」と、自宅の電話番号「０４−２２２２−２２２２」と、「ｎｉｐｐｏｎ＠ｙｙｙ．ｎｅ．ｊｐ」とが対応付けられている。これは、加入者識別情報が「日本太郎」である加入者のクラスが「２」の電話番号が「０４−２２２２−２２２２」であり、電子メールアドレスが「ｎｉｐｐｏｎ＠ｙｙｙ．ｎｅ．ｊｐ」であることを示している。また、加入者識別情報の「日本太郎」と、クラス「３」と、携帯電話の電話番号「０９０−３３３３−３３３３」と、「ｔａｒｏ＠ｚｚｚ．ｎｅ．ｊｐ」とが対応付けられている。これは、加入者識別情報が「日本太郎」である加入者のクラスが「３」の電話番号が「０９０−３３３３−３３３３」であり、電子メールアドレスが「ｔａｒｏ＠ｚｚｚ．ｎｅ．ｊｐ」であることを示している。また、加入者識別情報の「関東花子」と、クラス「１」と、会社の電話番号「０３−４４４４−４４４４」と、「ｈｋａｎｔｏ＠ｓｓｓ．ｃｏｍ」とが対応付けられている。これは、加入者識別情報が「関東花子」である加入者のクラスが「１」の電話番号が「０３−４４４４−４４４４」であり、電子メールアドレスが「ｈｋａｎｔｏ＠ｓｓｓ．ｃｏｍ」であることを示している。また、加入者識別情報の「関東花子」と、クラス「２」と、自宅の電話番号「０４５−５５５−５５５５」と、「ｈａｎａｋｏ＠ｔｔｔ．ｎｅ．ｊｐ」とが対応付けられている。これは、加入者識別情報が「関東花子」である加入者のクラスが「２」の電話番号が「０４５−５５５−５５５５」であり、電子メールアドレスが「ｈａｎａｋｏ＠ｔｔｔ．ｎｅ．ｊｐ」であることを示している。また、加入者識別情報の「関東花子」と、クラス「３」と、携帯電話の電話番号「０８０−６６６６−６６６６」と、「ｈａｎａｈａｎａ＠ｕｕｕ．ｎｅ．ｊｐ」とが対応付けられている。これは、加入者識別情報が「関東花子」である加入者のクラスが「３」の電話番号が「０８０−６６６６−６６６６」であり、電子メールアドレスが「ｈａｎａｈａｎａ＠ｕｕｕ．ｎｅ．ｊｐ」であることを示している。また、加入者識別情報の「世界一郎」と、クラス「１」と、社員に公開されている社長室の外線電話番号「０３−７７７７−７７７７」とが対応付けられている。これは、加入者識別情報が「世界一郎」である加入者のクラスが「１」の電話番号が「０３−７７７７−７７７７」であることを示している。また、加入者識別情報の「世界一郎」と、クラス「２」と、限定された人に公開されている社長直結の外線電話番号「０３−８８８８−８８８８」とが対応付けられている。これは、加入者識別情報が「世界一郎」である加入者のクラスが「２」の電話番号が「０３−８８８８−８８８８」であることを示している。また、加入者識別情報の「世界一郎」と、クラス「３」と、自宅の電話番号「０３−９９９９−９９９９」とが対応付けられている。これは、加入者識別情報が「世界一郎」である加入者のクラスが「３」の電話番号が「０３−９９９９−９９９９」であることを示している。また、加入者識別情報の「世界一郎」と、クラス「４」と、携帯電話の電話番号「０９０−００００−００００」とが対応付けられている。これは、加入者識別情報が「世界一郎」である加入者のクラスが「４」の電話番号が「０９０−００００−００００」であることを示している。なお、上述した電話番号は、本明細書中にて説明に用いたものであり、実在するものとは無関係である。
【００３７】
なお、上述した加入者情報は、データベース２０３の書き込み部３０１を用いてあらかじめ書き込まれるものである。
【００３８】
また、加入者識別情報は、上述したような氏名であっても良いし、所定の番号や文字列であっても良く、加入者が識別できる情報であれば良い。
【００３９】
以下に、図１に示した通信システムにおける加入者端末１０１−１と加入者端末１０１−２との間の接続方法について説明する。
【００４０】
図５は、図１に示した通信システムにおける加入者端末１０１−１と加入者端末１０１−２との間の接続方法を説明するためのフローチャートである。ここでは、加入者端末１０１−１から加入者端末１０１−２へ発信する場合を例に挙げて説明する。つまり、加入者端末１０１−１を発信を行う発信加入者端末とし、また、加入者端末１０１−２を着信を行う着信加入者端末として説明する。また、加入者端末１０１−１を有する加入者を加入者Ａとし、また、加入者端末１０１−２を有する加入者を加入者Ｂとする。また、加入者端末１０１−１，１０１−２が発信または着信する場合、加入者識別情報が表示されるものである。
【００４１】
加入者Ａが加入者端末１０１−１に表示された加入者識別情報から加入者Ｂの加入者識別情報を選択すると、加入者端末１０１−１の電話番号と選択された宛先の加入者識別情報とが加入者端末１０１−１から通信網１０４を介して接続装置１０２へ送信される。このとき、加入者端末１０１−１には加入者端末１０１−２の電話番号が表示されることがないため、加入者Ａが加入者端末１０１−２の電話番号を知ることはできない。
【００４２】
ここで、加入者端末１０１−１に加入者識別情報を表示するには、加入者端末１０１−１に内蔵されている加入者識別情報のリストを表示するものであっても良いし、加入者端末１０１−１が接続されているインターネットのＷｅｂページの加入者識別情報のリストを表示するものであっても良い。
【００４３】
また、これらの表示された加入者識別情報のリストの中から所望の通信相手を選択するものであっても良いし、加入者Ａが加入者端末１０１−１に加入者Ｂの加入者識別情報を直接入力するものであっても良い。
【００４４】
加入者端末１０１−１から送信された加入者端末１０１−１の電話番号と加入者Ｂの加入者識別情報とが受信部２０１にて受信されると、信号識別部２０２にて、受信部２０１にて受信された信号が、加入者端末１０１−１の電話番号と加入者Ｂの加入者識別情報とであることが検出される（ステップＳ１）。
【００４５】
信号識別部２０２にて、加入者端末１０１−１の電話番号と加入者Ｂの加入者識別情報とが検出されると、当該加入者端末１０１−１の電話番号と加入者Ｂの加入者識別情報とがデータベース管理部２０３へ出力される。
【００４６】
加入者端末１０１−１の電話番号と加入者Ｂの加入者識別情報とがデータベース管理部２０３に入力すると、入力した加入者端末１０１−１の電話番号に基づいてデータベース１０３の加入者情報の中から加入者Ａの加入者識別情報が検索部３０２によって検索される（ステップＳ２）。
【００４７】
ステップＳ２の検索の結果、データベース１０３の加入者情報に加入者Ａの加入者識別情報があるかどうかが判断され（ステップＳ３）、あると判断された場合、加入者Ａの加入者識別情報がデータベース１０３から出力される。また、この場合、加入者Ａは正規の加入者であると認証される。
【００４８】
また、この認証方法については、例えば、人間なら指紋などの生体認証やパスワードなどによる認証、端末なら端末固有の識別番号や接続回線番号（例えば、携帯電話ならＳＩＭカードの番号、固定電話なら加入者回線の収容番号）を行う一般的なものであっても良い。このような一般的な認証方法を使用する場合、加入者端末１０１−１を操作する利用者が加入者Ａでなくてもかまわず、当該利用者が加入者端末１０１−１に当該利用者に予め付与された固有の利用者ＩＤ及びパスワードを入力することにより、正規の加入者であるかどうかが判断されるものであっても良い。この場合は、データベース１０３に格納されている加入者情報は、加入者識別情報と利用者ＩＤとが対応付けられているものとなり、当該利用者ＩＤに基づいて当該利用者に付与された加入者識別情報が検索されるものとなる。
【００４９】
ステップＳ３にて、加入者Ａが正規の加入者であると判断された場合、加入者Ａと加入者Ｂとの通信を許可するかどうかが状況判断部３０４によって判断される（ステップＳ４）。
【００５０】
例えば、接続を許可する時間帯を接続可能状況情報としてデータベース１０３にあらかじめ格納しておき、当該時間帯以外の時間は、接続を許可しないと判断される。
【００５１】
また、緊急を要する状況である場合のみ、通信を許可すると判断するものであっても良い。緊急を要する状況であるかどうかを判断するには、例えば、加入者が発信を行う際に、加入者端末１０１−１，１０１−２の緊急を示す所定のキーを押した（選択した）ことが、接続装置１０２にて検出された場合に、緊急を要する状況であると判断するものでも良い。また、一般的にネットワーク上に配信されている天気情報や地震情報等の報知情報を接続装置１０２にて受信し、受信された天気情報や地震情報が所定の条件を満たした場合（例えば、警報が発せられている場合や、震度４以上の地震が発生した場合等）、これらを接続可能状況情報として緊急を要する状況であると判断するものでも良い。
【００５２】
ステップＳ４にて、加入者Ａから加入者Ｂへの接続を許可すると判断された場合、加入者端末１０１−１から送信されてきた加入者Ｂの加入者識別情報に基づいて加入者Ｂが使用する加入者端末１０１−２の電話番号が検索される。
【００５３】
図４に示すように、１つの加入者識別情報には複数の電話番号が登録されているため、そのうち条件に合った電話番号が検索される。この検索方法については後述する。
【００５４】
加入者端末１０１−２の電話番号が検索されると、データベース管理部２０３から接続部２０４へ接続信号が出力され、接続部２０４にて加入者端末１０１−１と加入者端末１０１−２との接続が行われる（ステップＳ５）。具体的には、検索された電話番号がデータベース１０３から出力され、出力された電話番号で加入者端末１０１−２が呼び出される。同時に、加入者端末１０１−２へ加入者Ａの加入者識別情報が送信される。また、加入者端末１０１−２にて着信時に加入者Ｂの認証を行うものであっても良い。
【００５５】
加入者端末１０１−２では、送信されてきた加入者Ａの加入者識別情報のみが表示されるため、加入者Ａの加入者端末１０１−１の電話番号が表示されず、加入者Ｂが加入者端末１０１−１の電話番号を知ることはできない。
【００５６】
ここで、加入者Ｂが有する電話番号のうち、どの電話番号に電話をかけるかを検索する方法について図４を用いて説明する。以下、加入者Ａが日本太郎さんであり、また加入者Ｂが関東花子さんである場合を例に挙げて説明する。
【００５７】
１つ目の例として、クラス、つまり優先度の低い電話番号から検索する方法を挙げて説明する。ここでは、加入者Ａが日本太郎さんであり、また加入者Ｂが関東花子さんである場合を例に挙げて説明する。
【００５８】
例えば、日本太郎さんの加入者端末１０１−１が、接続部２０４によって、関東花子さんの電話番号の優先度の最も低いクラス「１」である電話番号「０３−４４４４−４４４４」に接続される。
【００５９】
続いて、接続部２０４によって電話番号「０３−４４４４−４４４４」から応答があったかどうかが判断され（ステップＳ６）、応答があったと判断された場合は通話が開始される。
【００６０】
一方、接続部２０４によって電話番号「０３−４４４４−４４４４」から応答がないと判断された場合は、クラスが１つ上げられる（ステップＳ７）。そして、再度ステップＳ４の通信を許可するかどうかが判断され、通信を許可すると判断されると、検索部３０２によってクラス「２」である電話番号「０４５−５５５−５５５５」が検索されて出力され、接続部２０４によって接続される。以下、同様に応答がないと判断されると、クラスが１つずつ上げられ、当該クラスに該当する電話番号に接続される。
【００６１】
なお、最も高いクラスの電話番号から順に検索されるものであっても良い。
【００６２】
また、２つ目の例として、発信された時間帯に応じて電話番号を検索する方法を挙げて説明する。ここでは、１つ目の例と同様に、加入者Ａが日本太郎さんであり、また加入者Ｂが関東花子さんである場合を例に挙げて説明する。
【００６３】
図４に示した加入者情報にさらに通話可能時間帯を対応付けて格納しておき、発信された時刻と格納されている通話可能時間帯とが比較され、発信された時刻が格納されている通話可能時間帯である場合に接続されるものであっても良い。
【００６４】
例えば、関東花子さんの「０３−４４４４−４４４４」の会社の電話番号の通話可能時間帯が９時から１８時であり、また、「０４５−５５５−５５５５」の自宅の電話番号の通話可能時間帯が２０時から７時であり、また、「０８０−６６６６−６６６６」の携帯電話の電話番号の通話可能時間帯が１８時から９時であることが格納されているものであっても良い。このように通信可能時間帯が格納されている場合、発信された時刻が１０時であると、通話可能時間帯に１０時が含まれているものが検索され、「０３−４４４４−４４４４」の会社の電話番号が選択される。また、発信された時刻が２１時であると、通話可能時間帯に２１時が含まれているものが検索され、「０４５−５５５−５５５５」の自宅の電話番号、または「０８０−６６６６−６６６６」の携帯電話の電話番号が選択される。２つの電話番号が選択された場合、どちらの電話番号を選択するかは、「クラス」に基づいて行うものであっても良いし、任意に選択するものであっても良い。
【００６５】
また、３つ目の例として、宛先の加入者Ｂに対する発信者である加入者Ａの地位に基づいて、電話番号を検索する方法を挙げて説明する。ここでは、加入者Ａが日本太郎さんであり、また加入者Ｂが世界一郎さんである場合を例に挙げて説明する。
【００６６】
例えば、日本太郎さんは、世界一郎さんが社長を務める会社の役員で、緊急事態が発生し、深夜に通話が必要となった場合を例に挙げる。世界一郎さんの自宅の電話番号および携帯電話の番号は、社内にも公開されていない。加入者情報の世界一郎さんの項には、公開されている社長室の外線番号、限定された人に公開されている社長直結の外線番号、自宅の番号、携帯電話の番号があり、それぞれの番号に対するクラス１〜４が格納されている。他方、日本太郎さんに関しても、同様に発信者としての代表分類クラスが１〜５で指定されている。日本太郎さんを発側分類クラス３とすると、同じクラス番号以下の１〜３までは、接続可能と状況判断部３０３にて判断する。当該クラスに対応する電話番号を検索するのは、上述した例と同様に検索部３０２である。日本太郎さんが管理職クラスで発側分類クラス２である場合は、社長室までの通話は出来るが、自宅や携帯電話への通話はできないことになる。
【００６７】
また、このような３つの例を組み合わせたものであっても良い。
【００６８】
なお、ステップＳ３にてデータベース１０３の加入者情報に加入者Ａの加入者識別情報がないと判断された場合は、接続できない旨が加入者端末１０１−１へ通知されるものであっても良い。また、ステップＳ４にて加入者Ａと加入者Ｂとが通信を行うことができる状況ではないと判断された場合も同様に、接続できない旨が加入者端末１０１−１へ通知されるものであっても良い。また、ステップＳ６にてすべてのクラスにて応答がないと判断された場合も同様に、加入者端末１０１−１にその旨が通知されるものであっても良い。
【００６９】
また、データベース１０３に格納された情報が、他のサーバ（例えば、会社Ｘのアドレス帳）と連携して、当該サーバに格納された情報が更新された際に、データベース１０３に格納されている情報が更新されるものであっても良い。この連携方法については一般的な情報送受信方法を用いるものであれば良い。
【００７０】
加入者端末１０１−１，１０１−２、接続装置１０２およびデータベース１０３は、通常、通信会社に属するが、接続装置１０２およびデータベース１０３は、通信会社の以外の会社や組織に属することもできる。
【００７１】
また、上記のすべての構成物を、いわゆる私設電話網の中に設置することもできる。
【００７２】
また、上述した接続方法は、最初の接続装置１０２へのアクセス方法により、様々のバリエーションが可能である。
【００７３】
例えば、加入者端末１０１−１，１０１−２が高機能化しており、最初にインターネット接続のような方法で、発信端末自体が接続装置１０２に接続され、宛先となる氏名を選択できる。ＮＧＮ（Next Generation Network）では、こうした一連の動作が可能である。また、加入者端末１０１−１，１０１−２が携帯電話である場合、現状でも実現可能である。
【００７４】
また、パソコンなどで、インターネット経由で、接続装置１０２に接続しておき、インターネット上で発信者の認証をした上で、接続装置１０２を介してデータベース１０３から、まず発信者を電話で呼び出し、その後で、着信者を呼び出して相互を接続する。この場合、既存の電話システムを利用することが可能である。
【００７５】
また、発信端末から、通常の方法で、接続装置１０２およびデータベース１０３を持つ中継センターにまず接続し、中継センターで発信者の認証等を行い、中継センター経由で、着信者に接続する。これは、いわゆる公−専−公での電話接続のスキームに似ている。会社の社員に緊急電話をかけるには、まず会社の電話センターに接続してもらって、そのあと電話センターから外線に再発信することになる。
【００７６】
また、電子メールを送信する場合も上述した電話をかける場合と同様の方法で接続することができる。
【００７７】
なお、上述した接続装置１０２の処理は、目的に応じて作製された論理回路で行うようにしても良い。また、処理内容を記述したプログラムを接続装置１０２にて読取可能な記録媒体に記録し、この記録媒体に記録されたプログラムを接続装置１０２に読み込ませ、実行するものであっても良い。接続装置１０２にて読取可能な記録媒体とは、フロッピーディスク（登録商標）、光磁気ディスク、ＤＶＤ、ＣＤなどの移設可能な記録媒体の他、接続装置１０２に内蔵されたＨＤＤ等を指す。この記録媒体に記録されたプログラムは、接続装置１０２内のＣＰＵ（不図示）にて読み込まれ、ＣＰＵの制御によって、上述したものと同様の処理が行われる。ここで、ＣＰＵは、プログラムが記録された記録媒体から読み込まれたプログラムを実行するコンピュータとして動作するものである。
【図面の簡単な説明】
【００７８】
【図１】本発明の通信システムの実施の一形態を示す図である。
【図２】図１に示した接続装置の内部の一構成例を示す図である。
【図３】図２に示したデータベース管理部の内部の一構成例を示す図である。
【図４】図１に示したデータベースの内部構造の一例を示す図である。
【図５】図１に示した通信システムにおける加入者端末間の接続方法を説明するためのフローチャートである。
【符号の説明】
【００７９】
１０１−１，１０１−２    加入者端末
１０２    接続装置
１０３    データベース
１０４  通信網
２０１    受信部
２０２    信号識別部
２０３    データベース管理部
２０４    接続部
２０５    送信部
３０１    書き込み部
３０２    検索部
３０３    状況判断部
【図１】
2009135789.tif 000003
【図２】
2009135789.tif 000004
【図３】
2009135789.tif 000005
【図４】
2009135789.tif 000006
【図５】
2009135789.tif 000007